【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、かつ対応する遊技機における遊技にて獲得された遊技媒体数を計数するとともに、該計数された獲得遊技媒体数の範囲内の遊技媒体を対応する遊技機に払出す遊技媒体計数装置と通信可能であり、
遊技機における遊技に使用可能な遊技用価値の大きさを特定可能な遊技用価値特定情報が記録された遊技用記録媒体を受付けて、該受付けた遊技用記録媒体に記録されている遊技用価値特定情報を少なくとも読み出す記録媒体処理手段と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段と、
前記遊技媒体計数装置との通信を行う計数装置通信手段と、
前記遊技用記録媒体を排出するための排出操作を検知する排出操作検知手段と、
を備える遊技用装置であって、
前記計数装置通信手段にて前記遊技媒体計数装置から受信した獲得遊技媒体数を、前記記録媒体処理手段に受付け中の遊技用記録媒体により特定可能とするための特定化処理を行う特定化処理手段と、をさらに備え、
前記排出操作検知手段による排出操作の検知に応じて、前記特定化処理がなされた前記記録媒体処理手段に受付け中の遊技用記録媒体を排出することを特徴とする遊技用装置。
【請求項２】
遊技機における遊技に使用可能な遊技用価値の大きさを特定可能な遊技用価値特定情報が記録された遊技用記録媒体を受付けて、該受付けた遊技用記録媒体に記録されている遊技用価値特定情報を少なくとも読み出す記録媒体処理手段と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段と、
前記遊技用記録媒体を排出するための排出操作を検知する排出操作検知手段と、
を備える遊技用装置と通信可能であり、
遊技機に１対１に対応して設けられ、かつ対応する遊技機における遊技にて獲得された遊技媒体数を計数するとともに、該計数された獲得遊技媒体数の範囲内の遊技媒体を対応する遊技機に払出す遊技媒体計数装置であって、
前記排出操作検知手段による排出操作の検知に応じて、前記記録媒体処理手段に受付け中の遊技用記録媒体により獲得遊技媒体数を特定可能とするための特定化処理を前記遊技用装置において行うために、該遊技用装置に獲得遊技媒体数を送信する獲得遊技媒体数送信手段を備える
ことを特徴とする遊技媒体計数装置。
【手続補正２】
【補正対象書類名】明細書
【補正対象項目名】発明の名称
【補正方法】変更
【補正の内容】
【発明の名称】遊技用装置、遊技媒体計数装置
【手続補正３】
【補正対象書類名】明細書
【補正対象項目名】０００１
【補正方法】変更
【補正の内容】
【０００１】
本発明は、遊技機に１対１に対応して設けられ、かつ対応する遊技機における遊技にて獲得された遊技媒体数を計数するとともに、該計数された獲得遊技媒体数の範囲内の玉数を対応する遊技機に払出す遊技媒体計数装置と通信可能であり、遊技に使用可能な遊技用価値の大きさを特定可能な遊技用価値特定情報が記録された遊技用記録媒体を受付けて、該受付けた遊技用記録媒体に記録されている遊技用価値特定情報から特定される遊技用価値の大きさの少なくとも一部を使用し、該使用する遊技用価値の大きさに相当する遊技媒体を貸出すための処理を行う遊技用装置並びに遊技媒体計数装置に関する。
【手続補正４】
【補正対象書類名】明細書
【補正対象項目名】０００５
【補正方法】変更
【補正の内容】
【０００５】
本発明は、このような問題点に着目してなされたもので、各台計数システムにおける遊技者の利便性を向上することのできる遊技用装置並びに遊技媒体計数装置を提供することを目的とする。
【手続補正５】
【補正対象書類名】明細書
【補正対象項目名】０００６
【補正方法】変更
【補正の内容】
【０００６】
上記課題を解決するために、本発明の請求項１に記載の遊技用装置は、
遊技機（パチンコ機２）に１対１に対応して設けられ、かつ対応する遊技機における遊技にて獲得された遊技媒体数（獲得玉数）を計数するとともに、該計数された獲得遊技媒体数の範囲内の遊技媒体を対応する遊技機に払出す遊技媒体計数装置（計数・払出ユニット４）と通信可能であり、
遊技機における遊技に使用可能な遊技用価値（プリペイド残額）の大きさを特定可能な遊技用価値特定情報（プリペイド残額データ、（会員）カードＩＤ）が記録された遊技用記録媒体（会員カード、ビジターカード）を受付けて、該受付けた遊技用記録媒体に記録されている遊技用価値特定情報を少なくとも読み出す記録媒体処理手段（カードリーダライタ３２７）と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段（制御ユニット３２８、貸出処理）と、
前記遊技媒体計数装置との通信を行う計数装置通信手段（通信部３３５）
前記遊技用記録媒体を排出するための排出操作を検知する排出操作検知手段（制御ユニット３２８、Ｓｂ５）と、
を備える遊技用装置（カードユニット３）であって、
前記計数装置通信手段にて前記遊技媒体計数装置から受信した獲得遊技媒体数（計数終了通知に含まれる持玉数）を、前記記録媒体処理手段に受付け中の遊技用記録媒体により特定可能とするための特定化処理（計数対応処理）を行う特定化処理手段（制御ユニット３２８）と、をさらに備え、
前記排出操作検知手段による排出操作の検知に応じて、前記遊技用価値特定情報が記録され、前記特定化処理がなされた前記記録媒体処理手段に受付け中の遊技用記録媒体を排出することを特徴としている。
この特徴によれば、獲得遊技媒体数が受付け中の遊技用記録媒体により特定可能とされるため、遊技者が、遊技を終了して遊技機を離れる際には、遊技用記録媒体のみの返却を受けて所持すれば良いので、遊技者の利便性を向上することができる。
また、本発明の請求項２に記載の遊技媒体計数装置は、
遊技機における遊技に使用可能な遊技用価値の大きさを特定可能な遊技用価値特定情報が記録された遊技用記録媒体を受付けて、該受付けた遊技用記録媒体に記録されている遊技用価値特定情報を少なくとも読み出す記録媒体処理手段と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段と、
前記遊技用記録媒体を排出するための排出操作を検知する排出操作検知手段と、
を備える遊技用装置と通信可能であり、
遊技機に１対１に対応して設けられ、かつ対応する遊技機における遊技にて獲得された遊技媒体数を計数するとともに、該計数された獲得遊技媒体数の範囲内の遊技媒体を対応する遊技機に払出す遊技媒体計数装置であって、
前記排出操作検知手段による排出操作の検知に応じて、前記記録媒体処理手段に受付け中の遊技用記録媒体により獲得遊技媒体数を特定可能とするための特定化処理を前記遊技用装置において行うために、該遊技用装置に獲得遊技媒体数を送信する獲得遊技媒体数送信手段を備える
ことを特徴としている。
この特徴によれば、獲得遊技媒体数が受付け中の遊技用記録媒体により特定可能とされるため、遊技者が、遊技を終了して遊技機を離れる際には、遊技用記録媒体のみの返却を受けて所持すれば良いので、これら遊技者の利便性を向上することができる遊技用装置に適した遊技媒体計数装置を提供できる。
【手続補正６】
【補正対象書類名】明細書
【補正対象項目名】０００７
【補正方法】変更
【補正の内容】
【０００７】
本発明の手段１の遊技用装置は、請求項１に記載の遊技用装置であって、
前記特定化処理手段（制御ユニット３２８）は、前記特定化処理（計数対応処理）として、前記遊技媒体計数装置（計数・払出ユニット４）において遊技媒体（パチンコ玉）の計数が実施されることにより該遊技媒体計数装置から送信される獲得遊技媒体数（持玉数）を受信する毎に、該受信した獲得遊技媒体数を前記記録媒体処理手段に受付け中の遊技用記録媒体（ビジターカード）に記録するための処理を行うことを特徴としている。
この特徴によれば、遊技媒体計数装置における遊技媒体の計数に応じて獲得遊技媒体数が逐次、遊技用記録媒体に記録されるので、遊技媒体計数装置との接続に不具合が生じた場合の遊技者の不利益の発生を低減できるばかりか、排出操作の検知に応じて、迅速に遊技用記録媒体を排出することができる。
【手続補正７】
【補正対象書類名】明細書
【補正対象項目名】０００８
【補正方法】変更
【補正の内容】
【０００８】
本発明の手段２の遊技用装置は、請求項１または手段１に記載の遊技用装置であって、
前記特定化処理手段（制御ユニット３２８）は、前記特定化処理（計数対応処理）として、前記遊技媒体計数装置（計数・払出ユニット４）における計数に基づく獲得遊技媒体数（持玉数）を前記記録媒体処理手段（カードリーダライタ３２７）に受付け中の遊技用記録媒体（ビジターカード）に記録するための処理を行い、
前記遊技媒体計数装置において遊技媒体（パチンコ玉）の計数が開始されたことに応じて該遊技媒体計数装置から送信される計数開始通知を受信した時点から、該開始された遊技媒体の計数が終了したことに応じて該遊技媒体計数装置から送信される該計数に基づく獲得遊技媒体数を特定可能な計数終了通知を受信することにより、該計数終了通知から特定される獲得遊技媒体数を遊技用記録媒体に記録するための前記特定化処理が完了した旨を特定可能な計数終了応答を該遊技媒体計数装置に返信する時点まで、前記排出操作検知手段による排出操作の検知に応じた遊技用記録媒体の排出を禁止することを特徴としている。
この特徴によれば、計数終了通知から特定される獲得遊技媒体数の遊技用記録媒体への記録が完了する以前に、遊技用記録媒体が排出されてしまうことによる遊技者の不利益の発生を回避することができる。
【手続補正８】
【補正対象書類名】明細書
【補正対象項目名】０００９
【補正方法】変更
【補正の内容】
【０００９】
本発明の手段３に記載の遊技用装置は、手段２に記載の遊技用装置であって、
前記遊技用記録媒体は、前記獲得遊技媒体数が記録されず、該獲得遊技媒体数（持玉数）が対応付けて管理される情報であって遊技場に会員登録した各会員遊技者を個々に識別可能な会員識別情報（会員ＩＤ）が記録された会員用記録媒体（会員カード）と、該会員識別情報が記録されず、前記獲得遊技媒体数（持玉数）が記録される一般用記録媒体（ビジターカード）とを含み、
前記記録媒体処理手段（カードリーダライタ３２７）に前記会員用記録媒体を受付け中において、前記遊技媒体計数装置（計数・払出ユニット４）から計数終了通知を受信したときには、該計数終了通知から特定される獲得遊技媒体数を受付け中の会員用記録媒体に記録することなく前記計数終了応答を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【手続補正９】
【補正対象書類名】明細書
【補正対象項目名】００１０
【補正方法】変更
【補正の内容】
【００１０】
本発明の手段４に記載の遊技用装置は、請求項１、手段１〜手段３のいずれかに記載の遊技用装置であって、
前記特定化処理手段（制御ユニット３２８）は、前記特定化処理として、前記遊技媒体計数装置における計数に基づく獲得遊技媒体数を前記記録媒体処理手段に受付け中の遊技用記録媒体に記録するための処理を行い、
前記記録媒体処理手段（カードリーダライタ３２７）に、前記獲得遊技媒体数（持玉数）が記録された遊技用記録媒体（ビジターカード）を受付け中に、前記遊技媒体計数装置に（計数・払出ユニット４）おいて遊技媒体の払出操作（払出ボタン４０１の操作）が行われた旨を特定可能な払出開始通知（計数払出開始通知）を該遊技媒体計数装置から受信した時点から、該払出操作に応じて前記遊技媒体計数装置において払出される遊技媒体数（単位払出玉数）を減じた新たな獲得遊技媒体数（持玉数）を該受付け中の遊技用記録媒体に更新記録する減算処理が完了した旨を特定可能な減算終了通知（計数引落完了通知）を該遊技媒体計数装置に返信する時点まで、前記排出操作検知手段（Ｓｂ５）による排出操作の検知に応じた遊技用記録媒体の排出を禁止することを特徴としている。
この特徴によれば、減算処理が完了する以前に遊技用記録媒体が排出されてしまうことによる遊技者或いは遊技場の不利益の発生を回避することができる。
【手続補正１０】
【補正対象書類名】明細書
【補正対象項目名】００１１
【補正方法】変更
【補正の内容】
【００１１】
本発明の手段５の遊技用装置は、手段４に記載の遊技用装置であって、
前記遊技用記録媒体は、前記獲得遊技媒体数が記録されず、該獲得遊技媒体数が対応付けて管理される情報であって遊技場に会員登録した各会員遊技者を個々に識別可能な会員識別情報が記録された会員用記録媒体と、該会員識別情報が記録されず、前記獲得遊技媒体数が記録される一般用記録媒体とを含み、
前記記録媒体処理手段（カードリーダライタ３２７）に前記会員用記録媒体（会員カード）を受付け中において、前記遊技媒体計数装置（計数・払出ユニット４）から払出開始通知（計数払出開始通知）を受信したときには、前記減算処理を実施することなく前記減算終了通知（計数払出終了応答）を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【手続補正１１】
【補正対象書類名】明細書
【補正対象項目名】００１２
【補正方法】変更
【補正の内容】
【００１２】
本発明の手段６の遊技用装置は、請求項１、手段１〜手段５のいずれかに記載の遊技用装置であって、
前記遊技者が遊技を中断するための離席操作を受付けるための離席操作受付け手段（ＩＲ受光ユニット３１５）を備え、
前記離席操作の受付けに応じて、前記遊技媒体計数装置（計数・払出ユニット４）に対し、離席モードを開始する旨を特定可能な離席モード開始通知（離席モード通知（開始））を送信し、前記記録媒体処理手段（カードリーダライタ３２７）に受付け中の遊技用記録媒体（会員カード、ビジターカード）から読み出した、該遊技用記録媒体を特定可能な記録媒体識別情報（会員カードＩＤまたはカードＩＤ）を記憶して該遊技用記録媒体を排出するとともに、遊技用記録媒体の受付け以外の操作を禁止して離席モードを開始し、離席モード中に受付けた遊技用記録媒体から読み出した記録媒体識別情報が、該離席モードの開始時に記憶した前記記録媒体識別情報と一致することを条件に、離席モードを終了する旨を特定可能な離席モード終了通知（離席モード通知（終了））を前記遊技媒体計数装置に送信するとともに、前記操作の禁止を解除して離席モードを終了することを特徴としている。
この特徴によれば、離席モード開始通知を遊技媒体計数装置に対して送信することで、遊技用記録媒体の受付け以外の操作が禁止される離席モードと連携して、該遊技媒体計数装置における計数や払出を禁止させることができるとともに、遊技者は、離席において遊技用記録媒体のみを所持するのみで良く、遊技者の利便性を向上できる。